【事件の表示】
　特許第３１４２９７０号「スピンドルモータ」の請求項１ないし４に係る特許に対する特許異議の申立てについて、次のとおり決定する。
【結　論】
　訂正を認める。
　特許第３１４２９７０号の請求項１ないし４に係る特許を維持する。
【理　由】
第１．手続の経緯
　特許第３１４２９７０号の請求項１ないし４に係る発明についての出願は、平成　４年１２月　４日に特許出願され、平成１２年１２月２２日にその発明について特許権の設定登録がされ、その後、その特許について、異議申立人桜井寿子により特許異議の申立てがなされ、取消しの理由が通知され、その指定期間内である平成１４年　１月２４日に訂正請求(後日、再度の訂正請求がなされたことにより、取下げられたものとみなす。)がなされた後、再度取消しの理由が通知され、その指定期間内である平成１４年　４月２２日に訂正請求がなされ、更にその後、訂正拒絶の理由が通知され、その指定期間内である平成１４年　９月１３日に訂正請求書の補正がなされたものである。
　　　　　　　　　　　　　　　　　　　　　　　　　　　　　　　　　
第２．訂正の適否についての判断
１．訂正の内容
　特許権者が求めている訂正の内容は以下のａ〜ｈのとおりである。
(１)訂正事項ａ
　特許請求の範囲の請求項１について、「潤滑流体を用いた動圧軸受が設けられ、・・・」との記載を、「潤滑剤を用いた動圧軸受が設けられ、・・・」と訂正するとともに、「該カバー部材は、接着剤により前記静止部材に固定されてなる、・・・」との記載を、「該カバー部材は、接着剤により前記静止部材に固定されてなり、該カバー部材と前記静止部材との接合部には、モータの外部側に開口し且つ該接着剤を収容する環状溝が設けられている、・・・」と訂正する。
(２)訂正事項ｂ
　特許請求の範囲の請求項２について、「前記カバー部材及び／又は前記静止部材の対応部には、・・・」との記載を、「前記静止部材の対応部には、・・・」と訂正する。
(３)訂正事項ｃ
　特許請求の範囲の請求項３について、「潤滑流体を用いた動圧軸受が設けられ、・・・」との記載を、「潤滑剤を用いた動圧軸受が設けられ、・・・」と訂正するとともに、「該カバー部材は、接着剤により前記ハブ部材に固定されてなる、・・・」との記載を、「該カバー部材は、接着剤により前記ハブ部材に固定されてなり、該カバー部材と前記ハブ部材との接合部には、モータの外部側に開口し且つ該接着剤を収容する環状溝が設けられている、・・・」と訂正する。
(４)訂正事項ｄ
  特許請求の範囲の請求項４について、「前記カバー部材及び／又は前記ハブ部材の対応部位には、・・・」との記載を、「前記ハブ部材の対応部位には、・・・」と訂正する。
(５)訂正事項ｅ
  発明の詳細な説明の記載中、段落【０００５】において、「該カバー部材は、接着剤により前記静止部材に固定されてなるものである。」との記載を、「該カバー部材は、接着剤により前記静止部材に固定されてなり、該カバー部材と前記静止部材との接合部には、モータの外部側に開口し且つ該接着剤を収容する環状溝が設けられているものである。」と訂正する。
(６)訂正事項ｆ（注：平成１４年　９月１３日付手続補正書に添付された全文訂正明細書の記載により、当該訂正の趣旨と解釈する。）
  発明の詳細な説明の記載中、段落【０００６】の記載において、「前記カバー部材及び／又は前記静止部材の対応部には、・・・」との記載を、「前記静止部材の対応部には、・・・」と訂正する。
(７)訂正事項ｇ
  発明の詳細な説明の記載中、段落【０００７】において、「該カバー部材は、接着剤により前記ハブ部材に固定されてなるものである。」との記載を、「該カバー部材は、接着剤により前記ハブ部材に固定されてなり、該カバー部材と前記ハブ部材との接合部には、モータの外部側に開口し且つ該接着剤を収容する環状溝が設けられているものである。」と訂正する。
(８)訂正事項ｈ（訂正事項ｆの注に同じ。）
　発明の詳細な説明の記載中、段落【０００８】において、「前記カバー部材及び／又は前記ハブ部材の対応部位には、・・・」との記載を、「前記ハブ部材の対応部位には、・・・」と訂正する。
　　　　　　　　　　　　　　　　　　　　　　　　　　　　　　　　　
２．訂正の目的の適否、新規事項の有無、及び特許請求の範囲の拡張・変更の存否
(１)訂正事項ａについて
　上記訂正事項ａに関連する記載として、願書に添付した明細書（以下、「特許明細書」という。）の発明の詳細の説明には「潤滑流体としての潤滑剤」（特許公報第６欄第３８〜３９行）並びに「潤滑剤を塗布」（特許公報第７欄第４７行）及び「潤滑剤の表面張力」（特許公報第８欄第８行）と記載されていることから、「潤滑流体」として「潤滑剤」を用いてなる発明は特許明細書に記載されているものと認められる。
　また、特許明細書の発明の詳細な説明には「図１及び図２において、カバー部材８は、ハウジング２１の円筒部２２の内部の周壁５４に嵌め込まれ、カバー部材８を固定するために接着剤９が充填されて固定されている。・・・図７は、既に説明したスピンドルモータのカバー部材８の周辺部を、拡大して示した断面図である。これらの図において、カバー部材８の、図における下側の溝部４１とテーパ部５８に接着剤９が充填され、」（特許公報第７欄第５〜１３行）及び「図のように接着剤９を充填することにより、接着力が高められると共に、シール効果が大きい。即ちカバー部材８における溝部４１に十分な接着剤９が充填でき、カバー部材８と周壁５４との接着面積を増大させる。」（特許公報第７欄第１８〜２２行）と記載されており、図１及び図７の記載内容を参酌すると、カバー部材と静止部材との接合部の構造を「該カバー部材と前記静止部材との接合部には、モータの外部側に開口し且つ該接着剤を収容する環状溝が設けられている」とする発明は特許明細書に記載されているものと認められる。
　そうすると、上記訂正事項ａは、特許明細書に記載された事項の範囲内において、潤滑流体及びカバー部材と静止部材との接合部の構造を限定したものといえるから、特許請求の範囲の減縮を目的とした明細書の訂正に該当するものであって、新規事項の追加に該当せず、また、実質上特許請求の範囲を拡張し、又は変更するものではない。
(２)訂正事項ｂについて
　特許明細書の発明の詳細な説明における「ハウジング２１の周壁５４に形成された接着剤溜まり溝４２にも接着剤９が充填されている」（特許公報第７欄第１３〜１４行）との記載並びに図１及び図７の記載に加え、ハウジング２１は静止部材に相当するものであることに照らせば、接着剤溜まり溝はカバー部材が固定される静止部材の対応部位に設けられているものと認められるから、上記訂正事項ｂは明りょうでない記載の釈明を目的とする訂正であって、新規事項の追加に該当せず、また、実質上特許請求の範囲を拡張し、又は変更するものではない。
(３)訂正事項ｃについて
　上記訂正事項ｃに関連する記載として、特許明細書の発明の詳細の説明には「潤滑流体としての潤滑剤」（特許公報第６欄第３８〜３９行）並びに「潤滑剤を塗布」（特許公報第７欄第４７行）及び「潤滑剤の表面張力」（特許公報第８欄第８行）と記載されていることから、「潤滑流体」として「潤滑剤」を用いてなる発明は特許明細書に記載されているものと認められる。
　また、特許明細書の発明の詳細な説明には「カバー部材７５に溝部７７及び溜まり溝７８が設けられ、接着剤７６が充填され、これによりカバー部材７５とハブ部材７１とが固定される。これら接着剤７６による固定の作用及び効果は、スピンドルモータの構成の違いを除き、既に説明した実施例と同様につき省略する。」（特許公報第９欄第６〜１１行）と記載されており、図１０の記載内容を参酌すると、カバー部材とハブ部材との接合部の構造を「該カバー部材と前記ハブ部材との接合部には、モータの外部側に開口し且つ該接着剤を収容する環状溝が設けられている」とする発明は特許明細書に記載されているものと認められる。
　そうすると、上記訂正事項ｃは、特許明細書に記載された事項の範囲内において、潤滑流体を限定し、カバー部材とハブ部材との接合部の構造を限定したものといえるから、特許請求の範囲の減縮を目的とした明細書の訂正に該当するものであって、新規事項の追加に該当せず、また、実質上特許請求の範囲を拡張し、又は変更するものではない。
(４)訂正事項ｄについて
　特許明細書の発明の詳細な説明における「カバー部材７５に溝部７７及び溜まり溝７８が設けられ、接着剤７６が充填され、これによりカバー部材７５とハブ部材７１とが固定される。これら接着剤７６による固定の作用及び効果は、スピンドルモータの構成の違いを除き、既に説明した実施例と同様につき省略する。」（特許公報第９欄第６〜１１行）と記載されており、図１０の記載内容を参酌すると、接着剤溜まり溝はカバー部材が固定されるハブ部材の対応部位に設けられているものと認められるから、上記訂正事項ｄは明りょうでない記載の釈明を目的とする訂正であって、新規事項の追加に該当せず、また、実質上特許請求の範囲を拡張し、又は変更するものではない。
(５)訂正事項ｅについて
  上記訂正事項ｅは、上記訂正事項ａに対応して発明の詳細な説明の【課題を解決するための手段】の欄の記載を訂正するものであるから、上記訂正事項ｅは明りょうでない記載の釈明を目的とする訂正であって、新規事項の追加に該当せず、また、実質上特許請求の範囲を拡張し、又は変更するものではない。
(６)訂正事項ｆについて
  上記訂正事項ｆは、上記訂正事項ｂに対応して発明の詳細な説明の【課題を解決するための手段】の欄の記載を訂正するものであるから、上記訂正事項ｆは明りょうでない記載の釈明を目的とする訂正であって、新規事項の追加に該当せず、また、実質上特許請求の範囲を拡張し、又は変更するものではない。
(７)訂正事項ｇについて
  上記訂正事項ｇは、上記訂正事項ｃに対応して発明の詳細な説明の【課題を解決するための手段】の欄の記載を訂正するものであるから、上記訂正事項ｇは明りょうでない記載の釈明を目的とする訂正であって、新規事項の追加に該当せず、また、実質上特許請求の範囲を拡張し、又は変更するものではない。
(８)訂正事項ｈについて
  上記訂正事項ｈは、上記訂正事項ｄに対応して発明の詳細な説明の【課題を解決するための手段】の欄の記載を訂正するものであるから、上記訂正事項ｈは明りょうでない記載の釈明を目的とする訂正であって、新規事項の追加に該当せず、また、実質上特許請求の範囲を拡張し、又は変更するものではない。
　　　　　　　　　　　　　　　　　　　　　　　　　　　　　　　　　
３．むすび
　以上のとおりであるから、上記訂正は特許法第１２０条の４第２項及び同条第３項において準用する平成６年法改正前の特許法第１２６条第１項ただし書及び同条第２項の規定に適合するので、当該訂正を認める。
　　　　　　　　　　　　　　　　　　　　　　　　　　　　　　　　　
第３．特許異議の申立てについて
１．申立ての理由の概要
　特許異議申立人桜井寿子は、特許第３１４２９７０号の請求項１ないし４に係る発明は、甲第１ないし６号証で示す刊行物に基づいて当業者が容易になし得た発明であり、特許法第２９条第２項の規定する発明に該当し、その特許は特許法第１１３条第２号に該当するので取り消されるべきものであり、また、同請求項２及び４に係る発明の特許は、平成２年法律第３０号をもって施行された特許法第３６条第５項第１号及び第２号に規定する要件を満たしておらず、その明細書が特許法第３６条第４項に規定する要件を満たしていない特許出願に対してなされたものであり、取り消されるべきものである旨、主張している。
　　　　　　　　　　　　　　　　　　　　　　　　　　　　　　　　　
２．本件発明
　特許第３１４２９７０号の請求項１ないし４に係る発明（以下、それぞれ「本件発明１」ないし「本件発明４」という。）は、平成１４年　９月１３日付けの手続補正書に添付された訂正明細書の特許請求の範囲の請求項１ないし４に記載された事項により特定される次のとおりのものである。
　　　　　　　　　　　　　　　　　　　　　　　　　　　　　　　　　
「【請求項１】記録ディスクが装着されるハブ部材と、静止部材とを備え、
　前記ハブ部材は前記静止部材に対して相対回転駆動されるスピンドルモータであって、
　前記ハブ部材には、一端を開放端とする支柱が同軸的に設けられ、
　前記静止部材には、前記支柱が挿通されて回転支持する、スリーブが設けられ、
　前記支柱と前記スリーブとにより、潤滑剤を用いた動圧軸受が設けられ、
　前記支柱の開放端部には、前記スリーブと係合し、該支柱を軸線方向に位置規制するための、環状部材が固定され、
　前記静止部材における、前記支柱の開放端側には、前記支柱及び前記環状部材を被覆し、前記スリーブを閉塞するためのカバー部材が装着され、
　該カバー部材は、接着剤により前記静止部材に固定されてなり、該カバー部材と前記静止部材との接合部には、モータの外部側に開口し且つ該接着剤を収容する環状溝が設けられている、ことを特徴とするスピンドルモータ。」
　【請求項２】　前記カバー部材が固定される、前記静止部材の対応部には、接着剤が滞留する接着剤溜り溝が設けられた、ことを特徴とする請求項１記載のスピンドルモータ。
　【請求項３】　記録ディスクが装着されるハブ部材と、静止部材とを備え、
　前記ハブ部材は前記静止部材に対して相対回転駆動されるスピンドルモータであって、
　前記静止部材には、一端を開放端とする支柱が同軸的に設けられ、
　前記ハブ部材には、前記支柱が挿通されて回転支持される、スリーブが設けられ、
　前記支柱と前記スリーブとにより、潤滑剤を用いた動圧軸受が設けられ、
　前記支柱の開放端部には、前記スリーブと係合し、前記スリーブを軸線方向に位置規制するための、環状部材が固定され、
　前記ハブ部材における、前記支柱の開放端側には、前記支柱及び前記環状部材を被覆し、前記スリーブを閉塞するためのカバー部材が装着され、
　該カバー部材は、接着剤により前記ハブ部材に固定されてなり、該カバー部材と前記ハブ部材との接合部には、モータの外部側に開口し且つ該接着剤を収容する環状溝が設けられている、ことを特徴とするスピンドルモータ。
　【請求項４】　前記カバー部材が固定される、前記ハブ部材の対応部位には、接着剤が滞留する接着剤溜り溝が設けられた、ことを特徴とする請求項３記載のスピンドルモータ。」
　　　　　　　　　　　　　　　　　　　　　　　　　　　　　　　　　
３．引用刊行物
　刊行物１：特開平４ー２７７３１７号公報（甲第１号証）
　刊行物２：特開平３ー１７３３３１号公報（甲第３号証）
　刊行物３：特開昭５７ー９７９２０号公報（甲第４号証）
　刊行物４：特開平４ー３８１３７号公報（甲第５号証）
  刊行物５：特開平２ー１８４２３６号公報（甲第２号証）
　刊行物６：特開平１ー１０７６３４号公報（甲第６号証）
　　　　　　　　　　　　　　　　　　　　　　　　　　　　　　　　　
４．刊行物に記載された発明
(１)刊行物１には、「本発明は、例えば小型モータ等に用いられ、スラスト荷重によるスラスト軸受接触面の摩耗を防止することのできるスラスト軸受及びその製造方法に関する。」（第１欄２５〜２８行）、「図１に示す実施例は、本発明に係るスラスト軸受を、例えばハードディスクのスピンドルモータ３０に適用した例を示している。このモータ３０は、モータベース４を有し、このモータベース４の中央には、円筒状の内筒部４ａが形成してあり、この内筒部４ａの外周には、ステータコイル６が巻回してある。また、内筒部４ａの内周側には、ラジアル軸受１４が装着してある。ステータコイル６の外周側には、ステータコイル６に生じる回転磁界によりマグネット８が回転力が発生するように、所定距離はなれて、円筒状のマグネット８が配置されている。・・・（中略）・・・ハブ１０は、回転軸１２の一方の端部に取り付けられ、回転軸１２がラジアル軸受１４により回転自在に保持されることにより、回転軸１２と共に回転するようになっている。・・・（中略）・・・回転軸１２の他方の端部には、スラスト部材としての円盤状のスラスト板３２が装着してある。このスラスト板３２に対向して配置されるように、本実施例では、モータベース４の中央に、円盤状のスラスト軸受本体３６が装着してある。・・・（中略）・・・本実施例では、図２及び図３に示すように、スラスト板３２及びスラスト軸受本体３６の対向する表面相互のいずれか一方であるスラスト軸受軸受本体３６の表面中央に、らせん状のスパイラル溝が形成してある。・・・（中略）・・・また、このスパイラル溝３８の外周位置には、スラスト板３２及びスラスト軸受本体３６の対向する表面相互に、Ｎ極またはＳ極の同極性に磁化された磁性膜４０、４２が成膜してある。磁性膜４０、４２を同極性に磁化することで、両者間に反発力が生じ、スラスト板３２とスラスト軸受本体３６との間には、回転軸１２が停止している場合でも、所定の隙間が形成される。」（第３欄４３行〜第４欄２７行）、「なお、本発明は上述した実施例に限定されるものではなく、例えば、図５及び図６に示すように、スラスト板３２及びスラスト軸受本体３６相互の対向する表面における中央部分に磁性膜４０、４２を形成すると共に、スラスト軸受３６の表面における磁性膜４２の外周位置に、スパイラル溝３８を形成するようにしても良い。」（第５欄４８行〜第６欄５行）との記載がある。
　これらの記載によれば刊行物１には、スラスト荷重によるスラスト軸受接触面の摩耗を防止することをその技術的課題とする、
「記録ディスクが装着されるハブ部材と、モータベースとを備え、前記ハブ部材は前記モータベースに対して相対回転駆動されるスピンドルモータであって、前記ハブ部材には、一端を開放端とする回転軸が同軸的に設けられ、前記モータベースには、前記回転軸が挿通されて回転支持する、ラジアル軸受が設けられ、前記回転軸と前記ラジアル軸受とにより、潤滑剤を用いた動圧軸受が設けられ、前記回転軸の開放端部には、前記ラジアル軸受と係合し、該回転軸を軸線方向に位置規制する機能を有するスラスト板が固定され、前記モータベースにおける、前記回転軸の開放端側には、ラジアル軸受本体が前記モータベースに固定されてなるスピンドルモータ。」との発明（以下、「引用発明１」という。）
が記載されていると認められる。
(２)刊行物２には、「第１図は本発明の回転軸駆動装置をロータリーエンコーダの一部に適用したときの一実施例の断面概略図である。同図において１は回転軸で一端に後述するロータリーエンコーダの一要素を構成する回転スケール板８が固着されている。２は外枠（ハウジング）、３は外枠蓋、４は回転軸受けであり、回転軸１の上方と下方に各々設けられている。５は希土類磁石を用いたロータであり、回転軸１の回転軸１と同一軸上の一部に固着されている。６はステータで外枠２内の基台上に載置されている。・・・（中略）・・・１０は溝部であり外枠２の内周部の回転軸受け４との接着面に設けられており、この溝部１０に後述するように接着剤を注入し、該接着剤を利用して回転軸受け４と外枠２とを強固に接着固定している。」（第２頁右上欄９行〜左下欄９行）、「そこで本実施例では外枠２の接着面Ｃに第２図に示すような溝部１０、例えば深さ０．１ｍｍ、幅２ｍｍの接着剤の溜まり用の溝部１０を設けている。そして外枠２の溝部１０に接着剤が十分充填されるようにし、この溝部１０内の接着剤を介して回転軸受け４と外枠２とを強固に接着固定している。」（第３頁左上欄８〜１４行）との記載がある。
(３)刊行物３には、「以下、本発明をＶＴＲの回転ヘッドアセンブリに適用した実施例について説明する。」（第１頁右下欄３〜４行）、「すなわち、２８は回転ヘッド部である上部シリンダ、２９は上部シリンダ２８に装着したヘッド、３０は下部シリンダであり、基板である下部ハウジング４０に固定されている。・・・（中略）・・・４４は回転スリーブであり、上部シリンダ２８を装置の上方向から着脱自在になる様に固着している。４５は上部フタであり、潤滑流体漏洩防止のためのオイルシール４６を介して、回転スリーブ４４の上端面に、ボルト４７でもって固着される。４８、４９、５０は本装置の回転部に、回転駆動力を与えるための、ダイレクト・ドライブモータのステータ４８、ロータマグネット４９、及びマグネット収納ケース５０である。・・・（中略）・・・下部ハウジング４０に固定された中止軸（決定注：「中心軸」の誤記である。）５１には非真円軸受の一種であるスパイラル・グルーブベアリング５２、５３が上下に形成されており、流体軸受特有の不安定現象であるオイルホワールの発生を防止した軸受構造となっている。・・・（中略）・・・中心軸５１と回転スリーブ４４の間には潤滑油としての磁性流体５６が隈なく封じ込められており、回転スリーブ４４の下端開口部には磁性流体５６の漏洩を防止するための磁気シールが設けられている。」（第２頁左上欄３行〜右上欄１７行）との記載があり、これらの記載及び図面第１図に示されている各部材の配置態様によれば刊行物３には、
「ＶＴＲの回転ヘッド部と、ハウジングとを備え、前記回転ヘッド部は前記ハウジングに対して相対回転駆動されるダイレクト・モータであって、前記ハウジングには、一端を開放端とする中心軸が同軸的に設けられ、前記回転ヘッドには、前記中心軸が挿通されて回転支持される、回転スリーブが設けられ、前記中心軸と前記回転スリーブとにより、潤滑剤を用いた動圧軸受が設けられ、前記中心軸の開放端部には、前記回転スリーブと係合し、前記回転スリーブを軸線方向に位置規制する機能を有するつばが固定され、前記回転ヘッドにおける、前記中心軸の開放端側には、上部フタが装着され、該上部フタは、ボルトにより前記回転スリーブに固定されているダイレクトドライブモータ。」
との発明（以下、「引用発明３」という。）が記載されていると認められる。
(４)刊行物４には、「スピンドルモータ３０は、第１、第２支持フレーム３１、３２の貫通孔３３、３４に具えられた第１、第２ベアリング３５、３６が、中間部分にロータ３７を有する軸３８の両端を支持した構造になっている。そして、この第１、第２支持フレーム３１、３２は、例えば、磁気ディスク装置のフレームＦ、Ｆに取付けられ、スピンドルモータ３０全体を支持している。又、第２支持フレーム３２には電機子４０が具えられている。さらに、ロータ３７内には磁石３９が具えられている。」（第２頁右上欄８〜１７行）、「第１、第２ベアリング３５、３６の外側面側の第１、第２支持フレーム３１、３２の各貫通孔３３、３３内には防護キャップ４１、４１が圧入によって、又は、接着剤によって接着されて夫々具えられている。この一対の防護キャップ４１は、金属或いはプラスチック製であり、本発明の防護シール構造４２を構成している。この各防護キャップ４１は、第１、第２ベアリング３５、３６の側面を覆って、貫通孔３３を塞ぎ、スピンドルモータ３０と磁気ディスク装置との間を流れる空気の流れを遮断する。」（第２頁左下欄１６行〜右下欄６行）との記載がある。
(５)刊行物５には、「然して、前記軸部材６２の緊締嵌合部６３の周囲には接着材溜り用の円周方向溝６４が形成され、該軸部材６２の緊締嵌合部６３の表面および前記溝６４内に嫌気性接着材（瞬間接着材）６５を塗布および充填した後、該軸部材６２を圧入固定するという工程が採られる。充分な量の接着材６５を溝６４内に予め充填しておけば、軸部材６２を連通孔４３に嵌合させて組付けた状態で、接着材６５が前記円周溝６４内に保持されることになり、密封性にすぐれたシール手段が得られる。この場合も、軸部材（位置決めピン）６２を圧入嵌合するだけでは嵌合部の微細隙間を通して空気が漏れることがあるが、前述のように軸部材６２の嵌合部６３に円周方向の溝６４を形成するとともに、該溝６４内に接着材を充填して嵌合部の全周を完全に密封するシール構造を形成することにより、嵌合部からの空気漏れをなくすことができた。」（第５頁左上欄６行〜右上欄４行）との記載がある。
(６)刊行物６には、「放熱用スリーブ６の成形上のばらつきで電動機フレーム３の外周面との間に隙間ができたとしても、この隙間は接着剤９で充填され隙間のままで残ることはない。」（第３頁左上欄４〜８行）との記載がある。
　　　　　　　　　　　　　　　　　　　　　　　　　　　　　　　　　
５．対比・判断
(１)本件発明１について
　本件発明１と引用発明１とを、両者で使用されている用語につきそれらの技術的意味ないし機能の観点から対比すると、引用発明１の「モータベース」、「回転軸」、「ラジアル軸受」、「スラスト板」、「スラスト軸受本体」は、それぞれ本件発明１の「静止部材」、「支柱」、「スリーブ」、「環状部材」、「カバー部材」に相当するといえるから、そうすると両者は「記録ディスクが装着されるハブ部材と、静止部材とを備え、前記ハブ部材は前記静止部材に対して相対回転駆動されるスピンドルモータであって、前記ハブ部材には、一端を開放端とする支柱が同軸的に設けられ、前記静止部材には、前記支柱が挿通されて回転支持する、スリーブが設けられ、前記支柱と前記スリーブとにより、潤滑流体を用いた動圧軸受が設けられ、前記支柱の開放端部には、前記スリーブと係合し、該支柱を軸線方向に位置規制するための、環状部材が固定され、前記静止部材における、前記支柱の開放端側には、カバー部材が装着され、前記静止部材に固定されてなるスピンドルモータ。」の点で一致し、本件発明１のカバー部材が支柱及び環状部材を被覆し、スリーブを閉塞するのに対し、引用発明１のカバー部材がスリーブを閉塞していない点（以下、「相違点１」という。）、本件発明１のカバー部材が接着剤により静止部材に固定されてなり、該カバー部材と前記静止部材との接合部には、モータの外部側に開口し且つ該接着剤を収容する環状溝が設けられているのに対し、引用発明１はカバー部材の静止部材に対する固定の仕方につき記載するところがない点（以下、「相違点２」という。）でそれぞれ相違している。
　ここで、相違点２については、刊行物２ないし６の記載を参酌しても、スピンドルモータにおいてカバー部材を接着剤によって静止部材に固定することは認められるものの、カバー部材と静止部材との接合部にモータの外部側に開口し且つ接着剤を収容する環状溝を設けることについて記載するものでないばかりか示唆するものでもない。
　しかも、スピンドルモータにおいてカバー部材と静止部材との接合部にモータの外部側に開口し且つ接着剤を収容する環状溝を設けることによって、本件発明１は、明細書記載の「図のように接着剤９を充填することにより、接着力が高められると共に、シール効果が大きい。即ちカバー部材８における溝部４１に充分な接着剤９が充填でき、カバー部材８と周壁５４との接着面積を増大させる。」（訂正明細書段落【００１６】参照。）といった顕著な作用効果を奏するものと認められる。
　したがって、本件発明１は、相違点１について検討するまでもなく、刊行物１ないし６に記載された発明に基づいて当業者が容易に発明をすることができたものではない。
　　　　　　　　　　　　　　　　　　　　　　　　　　　　　　　　　
(２)本件発明２について
　本件発明２は、本件発明１を引用するものであるから、上記(１)と同様の理由により、刊行物１ないし６に記載された発明に基づいて当業者が容易に発明をすることができたものではない。
　また、本件発明２が特許法３６条第５項第１号及び第２号に規定する要件を満たしていないとする主張は、上記訂正事項ｂの訂正を認めたことで根拠を失っている。
　　　　　　　　　　　　　　　　　　　　　　　　　　　　　　　　　
(３)本件発明３について
　本件発明３と引用発明３とを、両者で使用されている用語につきそれらの技術的意味ないし機能の観点から対比すると、引用発明３の「ハウジング」、「中心軸」、「回転スリーブ」、「上部フタ」は、それぞれ本件発明３の「静止部材」、「支柱」、「スリーブ」、「カバー部材」に相当するといえるから、そうすると両者は、「回転部材と、静止部材とを備え、前記回転部材は前記静止部材に対して相対回転駆動されるスピンドルモータであって、前記静止部材には、一端を開放端とする支柱が同軸的に設けられ、前記回転部材には、前記支柱が挿通されて回転支持される、スリーブが設けられ、前記支柱と前記スリーブとにより、潤滑流体を用いた動圧軸受が設けられ、前記支柱の開放端部には、前記スリーブを軸線方向に位置規制するための、位置規制部材が固定され、前記回転部材における、前記支柱の開放端側には、前記支柱及び前記位置規制部材を被覆し、前記スリーブを閉塞するためのカバー部材が装着され、該カバー部材は、ボルトにより固定されてなるスピンドルモータ。」の点で一致し、回転部材が本件発明３では記録ディスクが装着されるハブ部材であるのに対し、引用発明３ではＶＴＲの回転ヘッド部である点（以下、「相違点３」という。）、本件発明３の位置規制部材がスリーブと係合し、環状部材であるのに対し、引用発明３の位置規制部材（つば）がかかる構成につき明記するところがない点（以下、「相違点４」という。）、本件発明３のカバー部材が接着剤により装着されており、該カバー部材とハブ部材との接合部には、モータの外部側に開口し且つ該接着剤を収容する環状溝が設けられているのに対し、引用発明３のカバー部材がボルトで装着されている点（以下、「相違点５」という。）、でそれぞれ相違している。
　ここで、相違点５については、刊行物２ないし６の記載を参酌しても、スピンドルモータにおいてカバー部材を接着剤によってハブ部材に固定することは認められるものの、カバー部材とハブ部材との接合部にモータの外部側に開口し且つ接着剤を収容する環状溝を設けることについて記載するものでないばかりか示唆するものでもない。
　しかも、スピンドルモータにおいてカバー部材とハブ部材との接合部にモータの外部側に開口し且つ接着剤を収容する環状溝を設けることによって、本件発明３は、明細書記載の「これら接着剤７６による固定の作用及び効果は、スピンドルモータの構成の違いを除き、既に説明した実施例と同様につき省略する。」（訂正明細書段落【００２０】参照。）との記載から示されるように、上述した本件発明１と同様の顕著な作用効果を奏するものと認められる。
　したがって、本件発明３は、相違点３及び４について検討するまでもなく、刊行物１ないし６に記載された発明に基づいて当業者が容易に発明をすることができたものではない。
　　　　　　　　　　　　　　　　　　　　　　　　　　　　　　　　　
(４)本件発明４について
　本件発明４は、本件発明３を引用するものであるから、上記(３)と同様の理由により、刊行物１ないし６に記載された発明に基づいて当業者が容易に発明をすることができたものではない。
　また、本件発明４が特許法３６条第５項第１号及び第２号に規定する要件を満たしていないとする主張は、上記訂正事項ｄの訂正を認めたことで根拠を失っている。
　　　　　　　　　　　　　　　　　　　　　　　　　　　　　　　　　
(５)明細書の記載不備について
　発明の詳細な説明について特許法３６条第４項に規定する要件を満たしていないとする記載不備について検討する。確かに、訂正明細書段落【００２０】に溜まり溝７８がカバー部材７５に設けられている旨が記載されており、図１０の記載内容と矛盾するものの、同じく訂正明細書段落【００２０】には「既に説明した内容から容易に理解されるように、カバー部材７５に溝部７７及び溜まり溝７８が設けられ、」と記載されており、既に説明した内容に該当する第一ないし第三の実施例にはカバー部材８に溜まり溝（「接着剤溜まり溝」と表現されている場合もある）を設けていないことからみて、該記載不備は単なる誤記と認められ、当業者が容易に発明を実施することができる程度に記載されていないとするほどの記載不備ではない。
　　　　　　　　　　　　　　　　　　　　　　　　　　　　　　　　　
６．むすび
　以上のとおりであるから、特許異議申立ての理由及び証拠によっては、本件請求項１ないし４に係る発明の特許を取り消すことはできない。
　また、他に本件請求項１ないし４に係る発明の特許を取り消すべき理由を発見しない。
　したがって、結論のとおり決定する。
【異議決定日】
平成１４年１０月２９日（２００２．１０．２９）
【訂正の要旨】
訂正の要旨
１．特許請求の範囲の記載について
「　【請求項１】　記録ディスクが装着されるハブ部材と、静止部材とを備え、
　前記ハブ部材は前記静止部材に対して相対回転駆動されるスピンドルモータであって、
　前記ハブ部材には、一端を開放端とする支柱が同軸的に設けられ、
　前記静止部材には、前記支柱が挿通されて回転支持する、スリーブが設けられ、
　前記支柱と前記スリーブとにより、潤滑流体を用いた動圧軸受が設けられ、
　前記支柱の開放端部には、前記スリーブと係合し、該支柱を軸線方向に位置規制するための、環状部材が固定され、
　前記静止部材における、前記支柱の開放端側には、前記支柱及び前記環状部材を被覆し、前記スリーブを閉塞するためのカバー部材が装着され、
　該カバー部材は、接着剤により前記静止部材に固定されてなる、ことを特徴とするスピンドルモータ。
　【請求項２】　前記カバー部材が固定される、前記カバー部材及び／又は前記静止部材の対応部には、接着剤が滞留する接着剤溜り溝が設けられた、ことを特徴とする請求項１記載のスピンドルモータ。
　【請求項３】　記録ディスクが装着されるハブ部材と、静止部材とを備え、
　前記ハブ部材は前記静止部材に対して相対回転駆動されるスピンドルモータであって、
　前記静止部材には、一端を開放端とする支柱が同軸的に設けられ、
　前記ハブ部材には、前記支柱が挿通されて回転支持される、スリーブが設けられ、
　前記支柱と前記スリーブとにより、潤滑流体を用いた動圧軸受が設けられ、
　前記支柱の開放端部には、前記スリーブと係合し、前記スリーブを軸線方向に位置規制するための、環状部材が固定され、
　前記ハブ部材における、前記支柱の開放端側には、前記支柱及び前記環状部材を被覆し、前記スリーブを閉塞するためのカバー部材が装着され、
　該カバー部材は、接着剤により前記ハブ部材に固定されてなる、ことを特徴とするスピンドルモータ。
　【請求項４】　前記カバー部材が固定される、前記カバー部材及び／又は前記ハブ部材の対応部位には、接着剤が滞留する接着剤溜り溝が設けられた、ことを特徴とする請求項３記載のスピンドルモータ。」
とある記載を、
「　【請求項１】　記録ディスクが装着されるハブ部材と、静止部材とを備え、
　前記ハブ部材は前記静止部材に対して相対回転駆動されるスピンドルモータであって、
　前記ハブ部材には、一端を開放端とする支柱が同軸的に設けられ、
　前記静止部材には、前記支柱が挿通されて回転支持する、スリーブが設けられ、
　前記支柱と前記スリーブとにより、潤滑剤を用いた動圧軸受が設けられ、
　前記支柱の開放端部には、前記スリーブと係合し、該支柱を軸線方向に位置規制するための、環状部材が固定され、
　前記静止部材における、前記支柱の開放端側には、前記支柱及び前記環状部材を被覆し、前記スリーブを閉塞するためのカバー部材が装着され、
　該カバー部材は、接着剤により前記静止部材に固定されてなり、該カバー部材と前記静止部材との接合部には、モータの外部側に開口し且つ該接着剤を収容する環状溝が設けられている、ことを特徴とするスピンドルモータ。
　【請求項２】　前記カバー部材が固定される、前記静止部材の対応部には、接着剤が滞留する接着剤溜り溝が設けられた、ことを特徴とする請求項１記載のスピンドルモータ。
　【請求項３】　記録ディスクが装着されるハブ部材と、静止部材とを備え、
　前記ハブ部材は前記静止部材に対して相対回転駆動されるスピンドルモータであって、
　前記静止部材には、一端を開放端とする支柱が同軸的に設けられ、
　前記ハブ部材には、前記支柱が挿通されて回転支持される、スリーブが設けられ、
　前記支柱と前記スリーブとにより、潤滑剤を用いた動圧軸受が設けられ、
　前記支柱の開放端部には、前記スリーブと係合し、前記スリーブを軸線方向に位置規制するための、環状部材が固定され、
　前記ハブ部材における、前記支柱の開放端側には、前記支柱及び前記環状部材を被覆し、前記スリーブを閉塞するためのカバー部材が装着され、
　該カバー部材は、接着剤により前記ハブ部材に固定されてなり、該カバー部材と前記ハブ部材との接合部には、モータの外部側に開口し且つ該接着剤を収容する環状溝が設けられている、ことを特徴とするスピンドルモータ。
　【請求項４】　前記カバー部材が固定される、前記ハブ部材の対応部位には、接着剤が滞留する接着剤溜り溝が設けられた、ことを特徴とする請求項３記載のスピンドルモータ。」
と訂正する。
２．発明の詳細な説明の記載ついて
（１）段落【０００５】の記載において、
「【課題を解決するための手段】
　上記課題を達成するために、本発明のスピンドルモータは、次の手段により提供される。まず第一の手段によるスピンドルモータでは、記録ディスクが装着されるハブ部材と、静止部材とを備え、前記ハブ部材は前記静止部材に対して相対回転駆動されるスピンドルモータであって、前記ハブ部材には、一端を開放端とする支柱が同軸的に設けられ、前記静止部材には、前記支柱が挿通されて回転支持する、スリーブが設けられ、前記支柱と前記スリーブとにより、潤滑流体を用いた動圧軸受が設けられ、前記支柱の開放端部には、前記スリーブと係合し、該支柱を軸線方向に位置規制するための、環状部材が固定され、前記静止部材における、前記支柱の開放端側には、前記支柱及び前記環状部材を被覆し、前記スリーブを閉塞するためのカバー部材が装着され、該カバー部材は、接着剤により前記静止部材に固定されてなるものである。」
とある記載を、
「【課題を解決するための手段】
　上記課題を達成するために、本発明のスピンドルモータは、次の手段により提供される。まず第一の手段によるスピンドルモータでは、記録ディスクが装着されるハブ部材と、静止部材とを備え、前記ハブ部材は前記静止部材に対して相対回転駆動されるスピンドルモータであって、前記ハブ部材には、一端を開放端とする支柱が同軸的に設けられ、前記静止部材には、前記支柱が挿通されて回転支持する、スリーブが設けられ、前記支柱と前記スリーブとにより、潤滑剤を用いた動圧軸受が設けられ、前記支柱の開放端部には、前記スリーブと係合し、該支柱を軸線方向に位置規制するための、環状部材が固定され、前記静止部材における、前記支柱の開放端側には、前記支柱及び前記環状部材を被覆し、前記スリーブを閉塞するためのカバー部材が装着され、該カバー部材は、接着剤により前記静止部材に固定されてなり、該カバー部材と前記静止部材との接合部には、モータの外部側に開口し且つ該接着剤を収容する環状溝が設けられているものである。」
と訂正する。
（２）段落【０００６】の記載において、
「前記第一の手段のスピンドルモータにあっては、前記カバー部材が固定される、前記カバー部材及び／又は前記静止部材の対応部には、接着剤が滞留する接着剤溜り溝が設けられることが望ましい。」
とある記載を、
「前記第一の手段のスピンドルモータにあっては、前記カバー部材が固定される、前記静止部材の対応部には、接着剤が滞留する接着溜り溝が設けられていることが望ましい。」
と訂正する。
（３）段落【０００７】の記載において、
「次に第二の手段によるスピンドルモータでは、記録ディスクが装着されるハブ部材と、静止部材とを備え、前記ハブ部材は前記静止部材に対して相対回転駆動されるスピンドルモータであって、記静止部材には、一端を開放端とする支柱が同軸的に設けられ、前記ハブ部材には、前記支柱が挿通されて回転支持される、スリーブが設けられ、前記支柱と前記スリーブとにより、潤滑流体を用いた動圧軸受が設けられ、前記支柱の開放端部には、前記スリーブと係合し、前記スリーブを軸線方向に位置規制するための、環状部材が固定され、前記ハブ部材における、前記支柱の開放端側には、前記支柱及び前記環状部材を被覆し、前記スリーブを閉塞するためのカバー部材が装着され、該カバー部材は、接着剤により前記ハブ部材に固定されてなるものである。」
とある記載を、
「次に第二の手段によるスピンドルモータでは、記録ディスクが装着されるハブ部材と、静止部材とを備え、前記ハブ部材は前記静止部材に対して相対回転駆動されるスピンドルモータであって、前記静止部材には、一端を開放端とする支柱が同軸的に設けられ、前記ハブ部材には、前記支柱が挿通されて回転支持される、スリーブが設けられ、前記支柱と前記スリーブとにより、潤滑剤を用いた動圧軸受が設けられ、前記支柱の開放端部には、前記スリーブと係合し、前記スリーブを軸線方向に位置規制するための、環状部材が固定され、前記ハブ部材における、前記支柱の開放端側には、前記支柱及び前記環状部材を被覆し、前記スリーブを閉塞するためのカバー部材が装着され、該カバー部材は、接着剤により前記ハブ部材に固定されてなり、該カバー部材と前記ハブとの接合部には、モータの外部側に開口し且つ該接着剤を収容する環状溝が設けられているものである。」
と訂正する。
（４）段落【０００８】の記載において、
「また、前記第二の手段によるスピンドルモータでは、前記カバー部材が固定される、前記カバー部材及び／又は前記ハブ部材の対応部位には、接着剤が滞留する接着剤溜り溝が設けられることが望ましい。」
とある記載を、
「また、前記第二の手段によるスピンドルモータでは、前記カバー部材が固定される、前記ハブ部材の対応部位には、接着剤が滞留する接着剤溜り溝が設けられることが望ましい。」
と訂正する。
（５４）【発明の名称】
スピンドルモータ
（５７）【特許請求の範囲】
　【請求項１】　記録ディスクが装着されるハブ部材と、静止部材とを備え、
　前記ハブ部材は前記静止部材に対して相対回転駆動されるスピンドルモータであって、
　前記ハブ部材には、一端を開放端とする支柱が同軸的に設けられ、
　前記静止部材には、前記支柱が挿通されて回転支持する、スリーブが設けられ、
　前記支柱と前記スリーブとにより、潤滑
剤
　前記支柱の開放端部には、前記スリーブと係合し、該支柱を軸線方向に位置規制するための、環状部材が固定され、
　前記静止部材における、前記支柱の開放端側には、前記支柱及び前記環状部材を被覆し、前記スリーブを閉塞するためのカバー部材が装着され、
　該カバー部材は、接着剤により前記静止部材に固定されてな
り、該カバー部材と前記静止部材との接合部には、モータの外部側に開口し且つ該接着剤を収容する環状溝が設けられている
　【請求項２】　前記カバー部材が固定される、前記静止部材の対応部には、接着剤が滞留する接着剤溜り溝が設けられた、ことを特徴とする請求項１記載のスピンドルモータ。
　【請求項３】　記録ディスクが装着されるハブ部材と、静止部材とを備え、
　前記ハブ部材は前記静止部材に対して相対回転駆動されるスピンドルモータであって、
　前記静止部材には、一端を開放端とする支柱が同軸的に設けられ、
　前記ハブ部材には、前記支柱が挿通されて回転支持される、スリーブが設けられ、
　前記支柱と前記スリーブとにより、潤滑
剤
　前記支柱の開放端部には、前記スリーブと係合し、前記スリーブを軸線方向に位置規制するための、環状部材が固定され、
　前記ハブ部材における、前記支柱の開放端側には、前記支柱及び前記環状部材を被覆し、前記スリーブを閉塞するためのカバー部材が装着され、
　該カバー部材は、接着剤により前記ハブ部材に固定されてな
り、該カバー部材と前記ハブ部材との接合部には、モータの外部側に開口し且つ該接着剤を収容する環状溝が設けられている
　【請求項４】　前記カバー部材が固定される、前記ハブ部材の対応部位には、接着剤が滞留する接着剤溜り溝が設けられた、ことを特徴とする請求項３記載のスピンドルモータ。
【発明の詳細な説明】
　【０００１】
　【産業上の利用分野】
　本発明は、光・磁気ディスク等の記録ディスクを回転駆動するために用いられると共に、動圧軸受を具備したスピンドルモータに関する。
　【０００２】
　【従来の技術】
　磁気ディスクや光ディスク等の記録ディスク駆動装置に用いられるスピンドルモータは、記録ディスクが装着されるハブ部材と、このハブ部材を回転支持するためのシャフトや、ハウジング（或はブラケット等）を備えている。ハブ部材はハウジングに対して、相対回転駆動される。ハブ部材の軸受手段としては、近年の装置の小型化や高容量化等の傾向を反映して、回転精度が高く、しかもスピンドルモータのコンパクト化に対応した流体動圧軸受が用いられる。また記録装置として、記録ディスクをアクセスするためのヘッド動作の関係上、スピンドルモータの回転軸線方向の高さ位置規制について厳しい精度が要求される。このため、スピンドルモータにあっては、回転軸線方向の位置規制を行う位置規制部材がシャフト等に設けられ、回転軸線方向に係合するように装着される。そして、この位置規制部材は、カバー部材により被覆されてハウジング内に収容される。通常カバー部材は、ハウジングに対してネジ止め等により固定される。
　【０００３】
　【発明が解決しようとする課題】
　ところが、このような構成におけるスピンドルモータでは、軸受手段に流体動圧軸受を用いているため、流体である潤滑剤がこのカバー部材の取付部の隙間等から漏れ出るということがあった。仮に、カバー部材をハウジングに対して嵌め合い公差を高めて、圧入するという方法もあるが、加工に要する手間がかかり、生産コストを押し上げ、しかも、圧入の仕方によっては、ハウジングに歪みをもたらし、流体動圧軸受等への影響を与えかねない。このようにカバー部材をハウジングに装着する上で、従前より解決すべき何らかの対策が望まれていた。
　【０００４】
　本発明は、従来技術に存した上記のような問題点に鑑み行われたものであって、その課題とするところは、位置規制部材を被覆するカバー部材により、内部に設けられた流体動圧軸受の潤滑剤に対しても、滲み漏れ出させることなく、確実にシールすることができ、しかも容易にハウジングへ取りつけて装着することができる、信頼性と生産性の高いスピンドルモータを提供することである。
　【０００５】
　【課題を解決するための手段】
　上記課題を達成するために、本発明のスピンドルモータは、次の手段により提供される。まず第一の手段によるスピンドルモータでは、記録ディスクが装着されるハブ部材と、静止部材とを備え、前記ハブ部材は前記静止部材に対して相対回転駆動されるスピンドルモータであって、前記ハブ部材には、一端を開放端とする支柱が同軸的に設けられ、前記静止部材には、前記支柱が挿通されて回転支持する、スリーブが設けられ、前記支柱と前記スリーブとにより、潤滑
剤
り、該カバー部材と前記静止部材との接合部には、モータの外部側に開口し且つ該接剤を収容する環状溝が設けられている
　【０００６】
　前記第一の手段のスピンドルモータにあっては、前記カバー部材が固定される、前記静止部材の対応部には、接着剤が滞留する接着剤溜り溝が設けられることが望ましい。
　【０００７】
　次に第二の手段によるスピンドルモータでは、記録ディスクが装着されるハブ部材と、静止部材とを備え、前記ハブ部材は前記静止部材に対して相対回転駆動されるスピンドルモータであって、記静止部材には、一端を開放端とする支柱が同軸的に設けられ、前記ハブ部材には、前記支柱が挿通されて回転支持される、スリーブが設けられ、前記支柱と前記スリーブとにより、潤滑
剤
り、該カバー部材と前記ハブ部材との接合部には、モータの外部側に開口し且つ該接剤を収容する環状溝が設けられている
　【０００８】
　また、前記第二の手段によるスピンドルモータでは、前記カバー部材が固定される、前記ハブ部材の対応部位には、接着剤が滞留する接着剤溜り溝が設けられることが望ましい。
　【０００９】
　【作用】
　前記第一の手段によるスピンドルモータによれば、カバー部材は接着剤により静止部材へ固定される。接着剤によってカバー部材と静止部材とが確実に固定されると共に、カバー部材と静止部材との嵌め合い隙間を確実に封止することができる。また、カバー部材と静止部材との嵌め合いは、接着剤を用いるために、比較的緩めに設定することができ、容易に嵌め込めて、しかも加工に要する手間もかからない
。そ
　【００１０】
　前記第二の手段によるスピンドルモータによれば、カバー部材は接着剤によりハブ部材へ固定される。接着剤によってカバー部材とハブ部材とが確実に固定されると共に、カバー部材とハブ部材との嵌め合い隙間を確実に封止することができる。また、カバー部材とハブ部材との嵌め合いは、接着剤を用いるために、比較的緩めに設定することができ、容易に嵌め込めて、しかも加工に要する手間もかからない
。そ
　【００１１】
　【実施例】
　本発明に従うスピンドルモータの実施例について、図１乃至図１０を参照しつつ説明する。先ず図１乃至図７は、例えば磁気ディスクを回転駆動するスピンドルモータの第一の実施例であり、その断面図を示す。（但し、図３は平面図を示す。また同様の部位には、同じ番号が付してある。）図１において、１は逆椀型状をなすハブ部材であり、図示省略の磁気ディスクを搭載して回転駆動されるものである。ハブ部材１は、アルミニウム材から形成されている。ハブ部材１の外周面２０へ（図示省略の）磁気ディスクが外嵌され、ハブ部材１の下端部に形成された鍔部１３の上面１４から、順次、図の上方へ所定の枚数が積層される。そして図示省略の取付部材により、磁気ディスクが押圧されて、回転軸線４８に同軸的に形成された孔部１１へ、ネジ等により螺着されて固定される。なお、ハブ部材１の上面４１に形成された孔部１２は、ハブ部材１へ磁気ディスクを装着する際の回り止め用の孔部である。２は、ハブ部材１に同軸的に固定されたシャフト（支柱）であり、その上端部２６がハブ部材１に対して、圧入等により一体的に固定されている。
　【００１２】
　ハブ部材１の鍔部１３の下部には、鉄材等の強磁性材料から形成されたロータヨーク７が装着されている。ロータヨーク７はリング状を成し、鍔部１３の下面１５と下側壁１６とに外嵌状に固定されている。このため、ハブ部材１の材質が熱膨張係数の大きいアルミニウム材であり、ロータヨーク７の材質がそれより熱膨張の小さい鉄材より形成されているので、スピンドルモータの温度上昇等によっても、より固定度合いが高められる。ロータヨーク７の内周側には、ロータマグネット６が環状に配設されて固定されている。なお、ロータヨーク７の上端部が半径方向内方へ曲折されているのは、鍔部１３への取付しろであると共に、ロータマグネット６からの漏れ磁束が、磁気ディスク側へ透過することを防止するためである。
　【００１３】
　一方、静止部材であるハウジング２１は、平坦状の支持部２９と円筒部２２とから構成され、例えばアルミニウム材等から一体に形成されている。円筒部２２の内周面２３には、同じく円筒状で且つ銅合金等から形成されたスリーブ３が嵌め込まれて固定されている。図に示すようにスリーブ３の内周面３０には、シャフト２が挿通されている。シャフト３の開放端である下端部の小径部２４には、シャフト２（ひいてはハブ部材１）を軸線方向４８へ位置規制するための、環状部材４が嵌め込まれており、さらにカバー部材８がこれら環状部材４乃至シャフト２の下端部を被覆している。そして、カバー部材８はスリーブ３を閉塞するように、ハウジング２１の孔部の周壁５４に嵌め込まれて固定されている。
　【００１４】
　円筒部２２の外周面２８には、電機子５が装着されている。電機子５は、電磁鋼板を所定枚数積層して形成されたステータコア１８と、このステータコア１８に巻回された電機子コイル１９とから構成される。電機子５の磁極部は、ハブ部材１のロータマグネット６に対して、軸線４８の半径方向に対向して配置されている。また電機子コイル１９から引き出されたコイル線１７は、ハウジング２１の上面に貼着されたプリント回路基板１０へ電気接続される。このプリント回路基板１０によりスピンドルモータ外部へ導出される。
　【００１５】
　第一の実施例のスピンドルモータでは、ハブ部材１はハウジング２１に対して回転支持されるが、この軸受手段として流体動圧軸受を用いている。図２において、シャフト２の外周面２５の上下二箇所に、動圧溝である複数のヘリングボーン溝４５，４６が形成されており、これによりシャフト２はスリーブ３に対してラジアル動圧軸受支持される。スリーブ３の内周面３０とシャフト２の外周面２５との隙間には、潤滑流体としての潤滑剤が充填されている。なお、動圧溝はシャフト２側に限らず、スリーブ３の内周面３０側に設けてもよい。また図３は、環状部材４の上下面３１，３２を示す平面図である。即ち図３（ａ）は環状部材４の上面３１を、図３（ｂ）はその下面３２を示す。これらの表面には、動圧溝である複数のスパイラル溝４３，４４が形成されている。環状部材４は、シャフト２の下端部に一体に固定されている。従ってシャフト２の回転に伴い、環状部材４も一体に回転する。環状部材４の上面３１はスリーブ３の凹部５０と面対向し、一方下面３２はカバー部材８の上端面４９と面対向する。そして、これら各々の隙間においてスラスト動圧軸受支持される。これら対向する隙間には、ラジアル動圧軸受部と同様に潤滑流体として、同様の潤滑剤が充填されている。このスラスト動圧軸受支持がなされると同時に、環状部材４により、シャフト２の回転軸線４８方向の位置規制が成される。
　【００１６】
　図１及び図２において、カバー部材８は、ハウジング２１の円筒部２２の内部の周壁５４に嵌め込まれ、カバー部材８を固定するために接着剤９が充填されて固定されている。この部位を詳細に説明するために図７を参照して説明する。図７は、既に説明したスピンドルモータのカバー部材８の周辺部を、拡大して示した断面図である。これらの図において、カバー部材８の、図における下側の溝部４１とテーパ部５８に接着剤９が充填され、またハウジング２１の周壁５４に形成された接着剤溜まり溝４２にも接着剤９が充填されている。これらによりカバー部材８は、ハウジング２１に対して接着力が高められ、確実に接着固定される。カバー部材８と周壁５４との接合部４０に接着剤を塗布して介在させるようにしてもよいが、図のように接着剤９を充填することにより、接着力が高められると共に、シール効果が大きい。即ちカバー部材８における溝部４１に充分な接着剤９が充填でき、カバー部材８と周壁５４との接着面積を増大させる。そして周壁５４に形成された接着剤溜まり溝４２は、カバー部材８がハウジング２１に対して、図の下方向へ離脱することを防止する楔（くさび）の作用を行うため、より強固に接着力が高められる。また、スピンドルモータ自体の温度上昇等により、ハウジング２１とカバー部材８との熱膨張差による接合部４０の歪み（図における上下方向へ、互いに逆方向に作用する）が発生しても、テーパ部５８が接合部４０の作用線（図の上下方向）に対して、鈍角に設定されている。このため、充填されている接着剤９の対応する部位、即ち、カバー部材８や周壁５４の接触面において、接着剤９が容易に剥離することがない。従って、シール性能が高い信頼性で維持される。
　【００１７】
　次に図４乃至図６を用いて、第一の実施例に係るスピンドルモータの組立例を説明する。図４乃至図６は、既に説明に使用した図１乃至図３、そして図７と同様であり、同じ部位には同じ付番がしてある。先ず図４に示すように、ハブ部材１には、予めシャフト２を嵌め込んで一体に形成しておき、また鍔部１３には、ロータヨーク７及びロータマグネット６をそれぞれ環状に固定しておく。一方、ハウジング２１側には、プリント回路基板１０を所定の部位に貼着し、円筒部２２の内周面２３にスリーブ３を嵌め込んで固定させ、また円筒部２２の外周面２８には電機子５を外嵌状に固定させておく。スリーブ３の内周面３０及びシャフト２の外周面２５に、それぞれ所要の潤滑剤を塗布しておき、図における矢印の方向（図の下方向）へ、ハブ部材１の組立体を、ハウジング２１の組立体へ挿通させる。すると図５に示す状態となる。このとき、ハブ部材１の内部における段部３８と、スリーブ３の上部における段部３７とが、互いに当接するが、その際に生成される隙間空間５３を、一定の間隔を確保するように設定されている。即ちこのことは、スリーブ３とシャフト２との挿通の際に、部位６１から潤滑剤が僅かに滲み出すことがあるが、それが隙間空間５３へ毛細管現象をおこして、ハブ内周部５１方向へ滲み出すことを防止するためである。従って、この隙間空間５３は、潤滑剤の表面張力により形成される濡れ寸法よりも大きく設定してある。
　【００１８】
　更に図５において、環状部材４をシャフト２の小径部２４へ嵌め込む。そして図６において、カバー部材８を、周壁５４に沿って嵌め込む。（図７の拡大断面図を合わせ参照して）その際、カバー部材８の閉塞により、一部の空気も内部に取り残されてしまうため、カバー部材８に設けられた連通孔３３により、この空気を外部へ逃がす。またカバー部材８の閉塞により、内部に充填された潤滑剤の一部が接合部４０へ溢れ出ることがあるため、カバー部材８の上端面４９に設けられた凹部３４にて、余分な潤滑剤を保持させる。こうして、カバー部材８が装着された後、接着剤９を溝部４１へ充填して、固定させる。このとき、接着剤９の一部が連通孔３３へも流入し、連通孔３３は閉塞される。
　【００１９】
　次に示す図８及び図９は、本発明に従うスピンドルモータの第二の実施例及び第三の実施例であり、いづれもカバー部材８の周辺を拡大して示した断面図である。なお、同じ部位は既に用いた番号が付してある。以下第一の実施例と異なる点のみを説明する。図８の第二の実施例では、接着剤９の、周壁５４における溜まり溝５６の形状が異なる。これは、カバー部材８側に設けたテーパ部５８と同様のテーパ部を、溜まり溝５６に形成している。このため、これらテーパ形状により、接合部４０の作用線に対してより鈍角となり、既に説明した接着剤９の剥離が防止されることとなる。また、もうひとつの部位としては、カバー部材８が嵌め込まれる際に、溢れ出る潤滑剤を保持する保持溝５７が、周壁５７（円筒部２２）側に設けられている点が異なる。次に、図９の第三の実施例では、接着剤９の溜まり溝６０の形状が異なる。これにより、カバー部材８が図の下方向へ離脱するように作用する力に対して、楔の作用を果たすことがより大きくできる。また保持溝５９を周壁５４とスリーブ３の一部に対応した隙間を設けるように形成してある。これにより、より潤滑剤の収容容量を大きくでき、この溝を形成するための加工の手間もそれほど要しない。
　【００２０】
　次に示す図１０は、第四の実施例を示すスピンドルモータである。既に述べた第一乃至第三の実施例のスピンドルモータが、シャフト２とハブ部材１とが一体的に回転する、いわゆるシャフト回転型であったのに対し、本実施例のスピンドルモータは、シャフト７２がハウジング７３と一体に固定され、スリーブ７４がハブ部材７１と一体に固定された、いわゆるシャフト固定型である。この場合も同様に環状部材７９を介して、ハブ部材７１及びスリーブ７４が、回転軸線９０方向の位置規制がなされ、カバー部材７５により、ハブ部材７１に固定される。既に説明した内容から容易に理解されるように、カバー部材７５に溝部７７及び溜まり溝７８が設けられ、接着剤７６が充填され、これによりカバー部材７５とハブ部材７１とが固定される。これら接着剤７６による固定の作用及び効果は、スピンドルモータの構成の違いを除き、既に説明した実施例と同様につき省略する。なお、図１０において、８０は電機子、８１は電機子８０に対向して環状に配設されたロータマグネットである。電機子８０から引き出されたコイルリード線９２は、ハウジング７３の孔部９３から、スピンドルモータの外部へ導出される。また部材９８は、ハウジング７３に対して、電機子８０を保持固定するための保持部材であり、絶縁性樹脂材料により形成されている。これにより電機子８０の絶縁保護を行なうと共に、電機子８０から発生する電磁振動等を効果的に吸収することができる。第四の実施例におけるスピンドルモータでは、図示省略するが、シャフト７２の外周面９４、又はスリーブ７４の内周面９５に、ラジアル動圧発生用のヘリングボーン溝が形成されており、また環状部材７９の上下端面９６、９７にスラスト動圧発生用のスパイラル溝が形成されている。そしてこれらの部材間の隙間には、潤滑剤が充填されている。
　【００２１】
　以上、本発明に従うスピンドルモータの実施例について詳述したが、これに限定されることなく、本発明の主旨の範囲で変更など自由である。例えば、接着剤の充填される溝乃至溜まり溝の形状や大きさ、また流体動圧軸受として、その動圧溝の数や配設部位など自由に選択できることは言うまでもない。その他材質等も選択自由である。なお、図１０に示す第四の実施例を示すスピンドルモータでは、シャフト７２が、カバー部材７５の内部に位置する構成を示しているが、同じシャフト固定型スピンドルモータの実施例の変形として、シャフト７２がカバー部材７５を貫通して突出し、その端部でスピンドルモータが支持固定される構成としてもよい。この場合はスピンドルモータが軸線９０の両端にて支持されるため、より回転精度が高められる。
　【００２２】
　【発明の効果】
　本発明のスピンドルモータは、上述の構成を有しているので、次のような効果を奏する。位置規制部材を被覆するカバー部材が、内部に設けられた流体動圧軸受の潤滑剤に対しても、滲み出させることなく、確実にシールすることができ、しかも容易にハウジングへ取りつけて装着することができる、信頼性と生産性の高いスピンドルモータが得られる。
【図面の簡単な説明】
　【図１】
　本発明の第一の実施例に係るスピンドルモータの全体を示す断面図である。
　【図２】
　図１に表れる一部側面を示した断面図である。
　【図３】
　図１に表れる部品の一部を示す平面図である。
　【図４】
　図１のスピンドルモータの組立順序を説明するための断面図である。
　【図５】
　図１のスピンドルモータの組立順序を説明するための断面図である。
　【図６】
　図１のスピンドルモータの組立順序を説明するための断面図である。
　【図７】
　図１のスピンドルモータの一部を拡大して示す断面図である。
　【図８】
　本発明の第二の実施例に係るスピンドルモータの一部を示す断面図である。
　【図９】
　本発明の第三の実施例に係るスピンドルモータの一部を示す断面図である。
　【図１０】
　本発明の第四の実施例に係るスピンドルモータの全体を示す断面図である。
　【符号の説明】
　１，７１　ハブ部材
　２，７２　シャフト
　３，７４　スリーブ
　４，７９　環状部材
　８，７５　カバー部材